(57)【要約】      （修正有）【課題】セパレータの設置を無くすとともに、型枠の固定・解体の作業を簡易且つ迅速に行うことができ、打設コンクリートの圧力にも十分に耐える強度を付与することができ、コンクリートの充填作業を円滑に行うことができる型枠固定装置を提供する。【解決手段】堰板１０を配設してコンクリート打設空間を形成する型枠の型枠固定装置２は、直立材３と、直立材の先端部に回動可能に取り付けられる一対の斜材４とを有し、堰板１０の外側に配設するバタ材１１に対して、バタ材の外側に堰板１０の面に対して垂直方向に直立材３を直立状態に配設するとともに一対の斜材４を傾斜状態に配設してトラス構造を形成させるものである。【選択図】図２
0003217063.tif 000002
【実用新案登録請求の範囲】
【請求項１】
堰板を配設してコンクリート打設空間を形成する型枠の型枠固定装置であって、
直立材と、直立材の先端部に回動可能に取り付けられる一対の斜材とを有し、
堰板の外側に配設するバタ材に対して、このバタ材の外側に堰板の面に対して垂直方向に直立材を直立状態に配設するとともに一対の斜材を傾斜状態に配設してトラス構造を形成させる型枠固定装置。
【請求項２】
請求項１に記載の型枠固定装置において、
直立材は、ジャッキ機構により伸縮自在に構成されてバタ材を押圧するように取り付けられている型枠固定装置。
【請求項３】
請求項２に記載の型枠固定装置において、
ジャッキ機構は、内部にナット部を有する筒状のジャッキ鞘管と、ジャッキ鞘管内のナット部に一端部側が螺合される雄ネジが形成されたジャッキ棒と、ジャッキ棒の雄ネジに螺合されるハンドルとを有し、ハンドルをジャッキ鞘管の端面と当接状態にして回動させることによりジャッキ鞘管からのジャッキ棒の突出長さが調節自在に構成されている型枠固定装置。
【請求項４】
請求項１〜３のいずれか１項に記載の型枠固定装置において、
直立材は、バタ材の外側面に配設される表金具とバタ材の内側面に配設される裏金具とをボルトで締め付けてバタ材を挟み込む取付金具によりバタ材に取り付けられ、表金具の表面に直立材が垂直状態に設けられている型枠固定装置。
【請求項５】
請求項１〜４のいずれか１項に記載の型枠固定装置において、
各斜材は、バタ材の外側面に配設される表金具とバタ材の内側面に配設される裏金具とをボルトで締め付けてバタ材を挟み込む取付金具によりバタ材に取り付けられ、表金具に斜材のバタ材取付側端部が回動可能に接続されている型枠固定装置。
【請求項６】
請求項５に記載の型枠固定装置において、
バタ材は、長さ方向に沿って複数の開口部が設けられ、斜材のバタ材取付側端部の取付位置における開口部に、この開口部の大きさと一致するずれ止めプレートが挿入配置され、
斜材の取付金具のボルトがずれ止めプレートの貫通孔に挿通されている型枠固定装置。
【考案の詳細な説明】
【技術分野】
【０００１】
コンクリート構造物を建築する際にコンクリート打設空間を形成する型枠を固定するための型枠固定装置に関する。
【背景技術】
【０００２】
従来、建築現場において、例えば、壁や柱等のコンクリート構造物を建築する場合、堰板を所定の間隔をあけて対向配置させた型枠によりコンクリートの打設空間を形成させる。この場合、一般に、対向配置する各堰板には、外側にバタ材を当て付けて、対向する堰板及びバタ材にわたってセパレータを複数本掛け渡して固定することにより型枠を固定する固定構造が採用されている（特許文献１の図２等）。
【先行技術文献】
【特許文献】
【０００３】
【特許文献１】実用新案登録第３１４４６４８号公報
【考案の概要】
【考案が解決しようとする課題】
【０００４】
上記の型枠固定構造では、現場作業として複数本のセパレータを堰板間に配置し、組み付ける作業は、手間や時間がかかり、多くの労力を要するものであった。コンクリートの硬化後に型枠を解体する際も、同様に手間、時間を要し、また、コンクリート構造物の外面に突出する多数のセパレータ端部を１つずつ切断する作業も必要となるものであった。また、型枠内へのコンクリート打設時では、多数のセパレータの存在によってコンクリートの充填を円滑に行ない難くしていた。
【０００５】
本考案は、以上の事情に鑑みてなされたものであり、建築現場での作業性改善を目的に、セパレータの設置を無くすとともに、型枠の固定・解体の作業を簡易且つ迅速に行うことができ、それでいて打設コンクリートの圧力にも十分に耐える強度を付与することができ、また、コンクリートの充填作業を円滑に行うことができる型枠固定装置を提供するものである。
【課題を解決するための手段】
【０００６】
本考案に係る型枠固定装置は、
堰板を配設してコンクリート打設空間を形成する型枠の型枠固定装置であって、
直立材と、直立材の先端部に回動可能に取り付けられる一対の斜材とを有し、
堰板の外側に配設するバタ材に対して、このバタ材の外側に堰板の面に対して垂直方向に直立材を直立状態に配設するとともに一対の斜材を傾斜状態に配設してトラス構造を形成させるものである。
【０００７】
上記構成より、型枠固定装置は、バタ材の外側にトラス構造を形成させるので、セパレータを設置しなくても、型枠には打設コンクリートの圧力に十分に耐える強度を付与することができる。また、型枠固定装置の組み付けや取り外しをバタ材の外側から行うことができるので、セパレータを配設する場合に比べて型枠の固定や解体の作業を簡易且つ迅速に行うことができる。さらに、型枠内には、従来のようなセパレートが配設されないから、コンクリートの充填作業を円滑に行うことができる。
【考案の効果】
【０００８】
以上より、本考案に係る型枠固定装置によれば、建築現場において現場作業の労力軽減、作業の効率化、施工期間の短縮等を図ることができ、現場作業の作業性改善に大きく貢献することができる。
【図面の簡単な説明】
【０００９】
【図１】実施形態の型枠固定装置を取り付けた型枠を示す平面図である。
【図２】実施形態の型枠固定装置を示す平面図である。
【図３】型枠固定装置の斜材を示す正面図であり、同図（ａ）と（ｂ）は９０度向きを変えた図である。
【図４】型枠固定装置の直立材及び取付金具を示す正面図であり、同図（ａ）と（ｂ）は９０度向きを変えた図である。
【図５】斜材の取付金具を示す正面図であり、同図（ａ）と（ｂ）は９０度向きを変えた図である。
【考案を実施するための形態】
【００１０】
以下に、本考案の実施形態について図面を参照しながら説明する。
図１に示した型枠１は、例えば、橋脚等の柱状のコンクリート構造物を建築する際のコンクリート打設空間を形成するものである。型枠１は、４面に堰板１０を立設状態に配置して矩形状のコンクリート打設空間を形成し、各堰板１０の外側面には、一対の鋼材などで形成した長尺な横バタ材１１を上下に間隔をおいて複数段に配設した構造としている。各横バタ材１１は、両端部で対向する横バタ材１１とタイボルト１２により締め付け固定させている。この型枠１の広幅側に対向する各横バタ材１１には、横バタ材１１の外側にトラス構造を形成させる型枠固定装置２が取り付けられている。型枠固定装置２は、上下の全ての段の横バタ材１１に取り付けられている。なお、型枠固定装置２は、狭幅側の対向する各横バタ材１１にも同様に取り付けるようにしてもよい。
【００１１】
型枠固定装置２は、図２に示すように、直立材３と、直立材３の先端部に回動可能に取り付けられた一対の斜材４とを備え、横バタ材１１の外側面において堰板１０の面に対して垂直方向に直立材３を直立状態に配設するとともに一対の斜材４を傾斜状態に配設することにより横バタ材１１の外側にトラス構造を形成させている。直立材３は、横バタ材１１の中央部に配設され、一対の斜材４は、横バタ材１１の両端部付近に取り付けられている。これにより、横バタ材１１の強度が大幅に増強されるので、従来のようにセパレータを配設しなくても、型枠１内に打設したコンクリートの圧力に対して十分に耐える強度を横バタ材１１や型枠１に持たせることができる。
【００１２】
斜材４は、図３に示すように、長尺な丸パイプから構成され、両端部には貫通孔４１ａを有する連結片４１が設けられている。なお、斜材４は、丸パイプに限られるものではなく、各種の長尺な鋼材を使用することができる。直立材３は、図４に示すように、先端部の左右各外面において貫通孔３４ａを有する一対の連結片３４が設けられている。この直立材３の一対の連結片３４の間に斜材４の一端部の連結片４１を配置して各貫通孔３４ａ，４１ａにボルトを通して取り付けることにより、斜材４の一端部が直立材３の先端部に回動自在に接続されている。
【００１３】
直立材３は、ジャッキ機構３０により伸縮自在に構成され、横バタ材１１を押圧するように取り付けられている。すなわち、ジャッキ機構３０は、図４に示すように、直立材３において、内部にナット部３１ａを有する角筒状のジャッキ鞘管３１と、ジャッキ鞘管３１内のナット部３１ａに一端部側が螺合される雄ネジが形成されたジャッキ棒３２と、ジャッキ棒３２の雄ネジに螺合されるハンドル３３とにより構成され、ハンドル３３をジャッキ鞘管３１の端面と当接状態にして回動させることによりジャッキ鞘管３１からのジャッキ棒３２の突出長さが調節自在に構成されている。
【００１４】
型枠固定装置２の横バタ材１１への取り付けは、直立材３及び一対の斜材４に設ける取付金具５，６により行われる。
直立材３用の取付金具５は、図４に示すように、横バタ材１１の外側面に配設される１つの表金具５１と、横バタ材１１の内側面に配設される２つの同形の裏金具５２と、表金具５１と各裏金具５２との間に架け渡す２本のボルト５３とから構成されている。この表金具５１の表面には、直立材３のジャッキ棒３２の他端部が外周面に４つ（複数）のリブ５４を設けて垂直状態に接合されている。すなわち、直立材３は、表金具５１に対して垂直状態に立設されている。これにより、この表金具５１を横バタ材１１の外側面に配設することにより、直立材３を横バタ材１１の外側面に対して簡単に直立状態に配設させることができる。
【００１５】
また、表金具５１は、ボルト５３を挿通させるボルト孔が２ヶ所に設けられている。表金具５１の両辺には、横バタ材１１の一対の鋼材に跨って嵌め込むように下方（裏面側）へ延びる係合片５５（図４（ｂ）参照）が設けられている。裏金具５２は、図４に示すように、表金具５１よりも細幅に形成されており（図４（ａ）参照）、１ヶ所にボルト孔が設けられるとともにボルト孔の位置で表面側にナット５６が溶接されている。裏金具５２の両辺にも、横バタ材１１の一対の鋼材に跨って嵌め込むように上方（裏面側）へ延びる係合片５７（図４（ｂ）参照）が設けられている。
【００１６】
そして、表金具５１を横バタ材１１の外側面に配設するとともに横バタ材１１の内側面に２つの裏金具５２を配設して、横バタ材１１の外側から２本のボルト５３を表金具５１の２ヶ所の各ボルト孔に通し、これらボルト５３を横バタ材１１の一対の鋼材間に配置させて各裏金具５２のナット５６に螺合させて締め付けて表金具５１と裏金具５２とで横バタ材１１を挟み込むように固定することにより、直立材３が横バタ材１１の外側面に直立状態に取り付けられる。
【００１７】
斜材４用の取付金具６は、図５に示すように、横バタ材１１の外側面に配設される１つの表金具６１と、横バタ材１１の内側面に配設される２つの同形の裏金具５２と、表金具６１と各裏金具５２との間に架け渡す２本のボルト６３とから構成されている。この表金具６１の表面には、貫通孔６４ａを有する一対の連結片６４が設けられている。この一対の連結片６４の間に斜材４のバタ材取付側端部となる他端部の連結片４１を配置して各貫通孔６４ａ，４１ａにボルトを通して取り付けることにより、斜材４の他端部が表金具６１に回動自在に接続されている。この表金具６１にも、２ヶ所にボルト孔が設けられ、表金具６１の両辺には、横バタ材１１の一対の鋼材に跨って嵌め込むように下方（裏面側）へ延びる係合片６５（図５（ｂ）参照）が設けられている。斜材４用の取付金具６の裏金具５２は、図４に示した直立材３の取付金具５の裏金具５２と共通部品となっている。
【００１８】
そして、表金具６１を横バタ材１１の外側面に配設するとともに横バタ材１１の内側面に２つの裏金具５２を配設して、横バタ材１１の外側から２本のボルト６３を表金具６１の２ヶ所の各ボルト孔に通し、これらボルト６３を横バタ材１１の一対の鋼材間に配置させて各裏金具５２のナット５６に螺合させて締め付けて表金具６１と裏金具５２とで横バタ材１１を挟み込むように固定することにより、斜材４が横バタ材１１の外側面に傾斜状態に取り付けられる。
【００１９】
また、斜材４の取付金具６には、図５に示すように、貫通孔７ａを設けた平板状のずれ止めプレート７が配設されている。横バタ材１１は、図２に示すように、長さ方向に沿って複数の開口部１１ａが設けられている。ずれ止めプレート７は、この横バタ材１１の開口部１１ａの大きさと一致する大きさを有し、斜材４のバタ材取付側端部の取り付け位置における開口部１１ａに挿入配置され、斜材４の取付金具６の一方のボルト６３をずれ止めプレート７の貫通孔７ａに挿通させる。これにより、一対の斜材４は、横バタ材１１の長さ方向にずれることなく横バタ材１１の所定位置に安定して固定される。なお、ずれ止めプレート７は、平板状に限られるものではなく、各種の形状のものを使用することができ、また、ずれ止めプレート７を使用しない形態でもよい。
【００２０】
以上より、型枠固定装置２は、横バタ材１１の外側にトラス構造を形成させるので、セパレータを設置しなくても、横バタ材１１や型枠１には打設コンクリートの圧力に対して十分に耐える強度を持たせることができる。また、型枠固定装置２の組み付けや取り外しを横バタ材１１の外側から取付金具５，６により簡単に行うことができる。従って、セパレータを配設する場合に比べて型枠１の固定や解体の作業を簡易且つ迅速に行うことができる。とりわけ、直立材３は、表金具５１に対して垂直状態に立設されているので、表金具５１を横バタ材１１の外側面に配設することにより直立材３を横バタ材１１の外側面に対して簡単に直立状態に配設させることができる。さらに、型枠１内には、従来のようなセパレートが配設されないから、コンクリートの充填作業を円滑に行うことができる。よって、本型枠固定装置２によれば、建築現場において現場作業の労力軽減、作業の効率化、施工期間の短縮等を図ることができ、現場作業の作業性改善に大きく貢献することができる。
【００２１】
なお、本考案は、上記実施形態のみに限定されるものではなく、実用新案登録請求の範囲内で必要に応じて変更を施すことが可能である。例えば、本考案の型枠固定装置は、縦バタ材に対して設置するようにしてもよい。
【符号の説明】
【００２２】
１  型枠
２  型枠固定装置
３  直立材
４  斜材
５  直立材３の取付金具
６  斜材４の取付金具
７  ずれ止めプレート
７ａ  貫通孔
１０  堰板
１１  横バタ材
１１ａ  開口部
１２  タイボルト
３０  ジャッキ機構
３１  ジャッキ鞘管
３１ａ  ナット部
３２  ジャッキ棒
３３  ハンドル
３４  連結片（直立材３側）
３４ａ  貫通孔
４１  連結片（斜材４側）
４１ａ  貫通孔
５１  表金具
５２  裏金具
５３  ボルト
５４  リブ
５５  係合片
５６  ナット
５７  係合片
６１  表金具
６２  裏金具
６３  ボルト
６４  連結片
６４ａ  貫通孔
６５  係合片
【図１】
0003217063.tif 000003
【図２】
0003217063.tif 000004
【図３】
0003217063.tif 000005
【図４】
0003217063.tif 000006
【図５】
0003217063.tif 000007